(57)【要約】【課題】無線機能を有し、押釦の種別情報記憶部を含む記憶媒体を用いた押釦装置の押釦信号の特性の向上、機能向上、操作性向上を図る。【解決手段】押釦と、前記押釦に対応して配置し、電界又は磁界を用いた第１の無線により前記押釦側の情報を発送する発送部と、前記押釦に対応して配置し、前記押釦の種別情報記憶部を含む記憶媒体とを有する押釦装置であって、前記記憶媒体の上面に発送部からの第１の無線による押釦側の情報を受信する押釦側情報受信部を設け、前記記憶媒体の側面に種別情報記憶部からの押釦の種別情報を第２の無線により送信する種別情報送信部を設けた。記憶媒体に押釦の種別情報を受信する種別情報受信部を設け、前記種別情報受信部が受信した押釦の種別情報を送信部から送信する。押釦の停止前の押下中に押釦の到来を電界又は磁界を用いた無線により検出する入力方法を提供する。【選択図】図１
2011146336.tif 000002
【特許請求の範囲】
【請求項１】
押釦と、
前記押釦に対応して配置し、前記押釦側の情報を電界又は磁界を用いた第１の無線により発送する発送部と、
前記押釦に対応して配置し、前記押釦の種別情報記憶部を含む記憶媒体と
を有する押釦装置であって、
前記記憶媒体の上面に、前記発送部からの前記電界又は磁界を用いた第１の無線による押釦側の情報を受信する押釦側情報受信部を設け、前記記憶媒体の側面に、前記種別情報記憶部からの押釦の種別情報を第２の無線により情報処理部側へ送信する種別情報送信部を設けたことを特徴とする押釦装置。
【請求項２】
第１、第２の押釦と、
前記第１、第２の押釦に夫々対応して配置し、前記第１、第２の押釦側の情報を電界又は磁界を用いた無線により夫々発送する第１、第２の発送部と、
前記第１、第２の押釦に夫々対応して配置し、前記第１、第２の押釦の種別情報を夫々記憶する第１、第２の記憶部を含む第１、第２の記憶媒体と
を有する押釦装置であって、
前記第１、第２の記憶媒体に、前記第１、第２の発送部からの前記電界又は磁界を用いた無線による押釦側の情報を受信する第１、第２の受信部を夫々設け、前記第１、第２の記憶部からの押釦の種別情報を情報処理部側へ送信する第１、第２の送信部を夫々設け、さらに前記第２の記憶媒体に前記第１の記憶媒体からの第１の押釦の種別情報を受信する種別情報受信部を設け、前記種別情報受信部が受信した前記第１の押釦の種別情報を、前記第２の送信部から情報処理部側へ送信することを特徴とする押釦装置。
【請求項３】
請求項１若しくは２に記載の押釦装置において、
前記送信部からの送信は、電界又は磁界による無線を用いることを特徴とする押釦装置。
【請求項４】
請求項１若しくは２に記載の押釦装置において、
前記押釦側の情報の発送と、前記押釦の種別情報の送信は互いに種類の異なる無線を用いることを特徴とする押釦装置。
【請求項５】
請求項１若しくは２に記載の押釦装置において、
前記記憶媒体は、前記押釦の種別情報以外の情報を記憶できる記憶部を備えたことを特徴とする押釦装置。
【請求項６】
押釦を押下する第１のステップと、
前記押釦の停止前の押下中に前記押釦側の情報を電界又は磁界を用いた無線により受信
する第２のステップと、
前記受信した無線により前記押釦の到来を検出し、前記押釦に対応して配置された記憶媒体内の押釦種別情報記憶部から種別情報を取出し、情報処理部側へ送信する
第３のステップと
を有することを特徴とする無線機能を有し、押釦の種別情報記憶部を含む記憶媒体を用いた押釦装置の入力方法。
【請求項７】
請求項６記載の押釦装置の入力方法において、前記押釦種別情報に関する情報を前記押釦の押下中に表示部に表示する第４のステップと
を備えたことを特徴とする押釦装置の入力方法。
【発明の詳細な説明】
【技術分野】
【０００１】
本発明は、無線機能を有し、押釦の種別情報記憶部を含む記憶媒体を用いた押釦装置並びにその押釦装置の入力方法に関する。
【背景技術】
【０００２】
従来、例えば下記特許文献１（特開平８−２２２０６９号）の図１には、電界の変化を利用した押しボタンスイッチが開示され、又、図５には、磁界の変化を利用したスイッチが開示されている。
又、特許文献２（特開２００６−５８９９７号）には、設置の自由度を高めるため、無線ＩＣタグに指などの人体の一部が接触することによりマイクロ波で成る電波が遮断され、ＩＣタグを検出する入力パネルが開示されている。
又、特許文献３（特開２００７−１１５１６６号）には、キーのレイアウト変更を容易にするため、キーユニット１１側にＲＦタグ１６を備えたキー入力装置が開示されている。
【０００３】
しかし、特許文献１（特開平８−２２２０６９号）には、押釦種別情報を記憶した記憶部を含む媒体は開示されていない。
【０００４】
又、特許文献２（特開２００６−５８９９７号）のＩＣタグ１３等は、マイクロ波を遮断してタグを特定するもので、このマイクロ波は全方位にわたって放射されており、従って、外部からの雑音電磁波に弱く、パネルの入力信号の特性は悪い。
【０００５】
又、特許文献３（特開２００７−１１５１６６号）のＲＦタグ１６は、キーユニット１１側に設けられており、本発明のように、電界又は磁界を用いた第１の無線を上面で検出し、押釦種別情報を第２の無線により送信する送信部を側面に設けた記憶媒体は開示されていない。さらに、本発明のような、記憶媒体間で押釦種別情報の送信、受信を行なうこと、押釦の停止前の押下中に押釦の到来を検出すること等は開示されていない。
【先行技術文献】
【特許文献】
【０００６】
【特許文献１】特開平０８−０２２２０６９号公報
【特許文献２】特開２００６−０５８９９７号公報
【特許文献３】特開２００７−１１５１６６号公報
【発明の概要】
【発明が解決しようとする課題】
【０００７】
本発明は、上述の問題点に鑑みてなされたものであって、その目的とするところは、無線機能を有し押釦の種別情報記憶部を含む記憶媒体を用いた押釦装置の押釦信号の特性を向上することにある。
【０００８】
さらに、無線機能を有し押釦の種別情報記憶部を含む記憶媒体を用いた押釦装置の機能を向上することにある。
【０００９】
さらに、無線機能を有し押釦の種別情報記憶部を含む記憶媒体を用いた押釦装置の操作性を向上することにある。
【課題を解決するための手段】
【００１０】
上記目的を達成するため、本発明の請求項１記載の押釦装置は、押釦と、前記押釦に対応して配置し、前記押釦側の情報を電界又は磁界を用いた第１の無線により発送する発送部と、前記押釦に対応して配置し、前記押釦の種別情報記憶部を含む記憶媒体とを有する押釦装置であって、前記記憶媒体の上面に、前記発送部からの前記電界又は磁界を用いた第１の無線による押釦側の情報を受信する押釦側情報受信部を設け、前記記憶媒体の側面に、前記種別情報記憶部からの押釦の種別情報を第２の無線により情報処理部側へ送信する種別情報送信部を設けたことを特徴とする。
【００１１】
請求項２記載の押釦装置は、第１、第２の押釦と、前記第１、第２の押釦に夫々対応して配置し、前記第１、第２の押釦側の情報を電界又は磁界を用いた無線により夫々発送する第１、第２の発送部と、前記第１、第２の押釦に夫々対応して配置し、前記第１、第２の押釦の種別情報を夫々記憶する第１、第２の記憶部を含む第１、第２の記憶媒体とを有する押釦装置であって、前記第１、第２の記憶媒体に、前記第１、第２の発送部からの前記電界又は磁界を用いた無線による押釦側の情報を受信する第１、第２の受信部を夫々設け、前記第１、第２の記憶部からの押釦の種別情報を情報処理部側へ送信する第１、第２の送信部を夫々設け、さらに前記第２の記憶媒体に前記第１の記憶媒体からの第１の押釦の種別情報を受信する種別情報受信部を設け、前記種別情報受信部が受信した前記第１の押釦の種別情報を、前記第２の送信部から情報処理部側へ送信することを特徴とする。
【００１２】
請求項３記載の押釦装置は、請求項１若しくは２に記載の押釦装置において、前記送信部からの送信は、電界又は磁界による無線を用いることを特徴とする。
【００１３】
請求項４記載の押釦装置は、請求項１若しくは２に記載の押釦装置において、前記押釦側の情報の発送と、前記押釦の種別情報の送信は互いに種類の異なる無線を用いることを特徴とする。
【００１４】
請求項５記載の押釦装置は、請求項１若しくは２に記載の押釦装置において、前記記憶媒体は、前記押釦の種別情報以外の情報を記憶できる記憶部を有することを特徴とする。
【００１５】
請求項６記載の無線機能を有し、押釦の種別情報記憶部を含む記憶媒体を用いた押釦装置の入力方法は、押釦を押下する第１のステップと、前記押釦の停止前の押下中に前記押釦側の情報を電界又は磁界を用いた無線により受信する第２のステップと、前記受信した無線により前記押釦の到来を検出し、前記押釦に対応して配置された記憶媒体内の押釦種別情報記憶部から種別情報を取出し、情報処理部側へ送信する第３のステップとを有することを特徴とする。
【００１６】
請求項７記載の押釦装置の入力方法は、請求項６記載の入力方法において、前記押釦種別情報に関する情報を前記押釦の押下中に表示部に表示する第４のステップと
を有することを特徴とする。
【発明の効果】
【００１７】
本発明の請求項１によれば、電界又は磁界を用いた無線は外部からの雑音電磁波に強いので、押釦信号の特性が向上する。
又、押釦側の情報の発送方向と、押釦の種別情報の送信方向が直交するので指向性が向上し、外部からの雑音電磁波に強くなり、押釦信号の特性が向上する。
【００１８】
請求項２によれば、電界又は磁界を用いた無線は外部からの雑音電磁波に強いので、押釦信号の特性が向上する。
又、第２の記憶媒体の第２の押釦種別情報送信部を利用して第１の記憶媒体からの押釦種別情報を送信するので、第１の記憶媒体からの押釦種別情報を情報処理部へ送信するための専用の送信路が不要になり、構成が簡易になる。
【００１９】
請求項３によれば、電界又は磁界を用いた無線は外部からの雑音電磁波に強いので、押釦信号の特性が向上する。
【００２０】
請求項４によれば、情報の発送と、送信に異なる種類の無線を用いるので、互いの干渉が低減し、押釦信号の特性が向上する。
【００２１】
請求項５によれば、押釦の種別情報の他に種々の情報を記憶させることができるので、押釦装置を情報処理部の記憶部の一部として利用することができ、押釦装置の機能が向上する。また、情報処理部の負担が軽減する。
【００２２】
請求項６によれば、電界又は磁界を用いた無線は外部からの雑音電磁波に強いので、押釦信号の特性が向上する。
又、押釦を停止位置まで押す必要がないので、反力を受けず操作者の疲労が軽減し、操作性が向上する。
又、押釦に対応して種別情報記憶部を配置したため、必要に応じて押釦毎に閾値を設定でき、親指用の押釦と小指用の押釦とで閾値を変えることが容易にできる。
【００２３】
請求項７によれば、押釦の停止前の押下中に押釦の種別情報に関連した情報を表示部に表示できるので、押釦の誤操作が低減する。
又、押釦を見ないで表示部だけを見ての高速入力が可能になる。
【図面の簡単な説明】
【００２４】
【図１】本発明に係る実施形態１の押釦装置の模式図で、Ａの（１）、（２）、（３）は作動順序を示す図、Ｂは作動順序に対応した波形図である。
【図２】Ａは本発明に係る押釦装置に用い得るタグの内部ブロック図、Ｂは他の例の内部ブロック図である。
【図３】Ａは図１に用い得るタグの例１の模式図、Ｂは他の例の模式図である。
【図４】Ａは図１に用い得るタグの例２の模式図、Ｂは他の例の模式図である。
【図５】Ａは実施形態１の応用例１の模式図、Ｂはその作動状態の模式図である。
【図６】Ａは図５に用い得るタグの模式図、Ｂ、Ｃは主要部断面図、Ｄはそのブロック図である。
【図７】Ａは図５の変形例の模式図、Ｂはそのブロック図である。
【図８】Ａは図７の変形例の模式図、Ｂはそのブロック図である。
【図９】本発明に係る実施形態２の押釦装置の模式図で、（１）、（２）は作動順序を示す図である。
【図１０】Ａは実施形態２の応用例１の模式図、Ｂはその作動状態の模式図である。
【図１１】Ａは図１０に用い得るタグの模式図、Ｂ、Ｃは主要部断面図、Ｄはそのブロック図である。
【図１２】実施形態２の全体斜視図である。
【図１３】図１０の変形例の摸式図である。
【図１４】各実施形態の応用例の全体斜視図である。
【図１５】本発明の実施形態の押釦情報の流れを示すフローチャート図である。
【発明を実施するための形態】
【００２５】
以下本発明の好適な実施の形態を図面に従って説明する。
【００２６】
実施形態１
図１のＡは、本発明の実施形態１に係る押釦装置の要部を模式的に示し、（１）は押釦ＫＴの静止状態、（２）は停止前の押下中の状態、（３）は停止状態を示す。
押釦ＫＴは基板ＫＢ上の支持ばねＳＰにより上下動自在に支持され、指ＦＧにより押下される。押釦ＫＴの下方の対応した位置には、押釦ＫＴと共に上下動し、押釦ＫＴの上下方向の位置情報を無線ＭＳ１により発信する押釦位置情報発信部ＧＥを設ける。基板ＫＢ上には、押釦ＫＴの発信部ＧＥに対応する位置に記憶媒体（以下タグと称す）ＴＧを配置する。タグＴＧは、押釦ＫＴの種類を識別する押釦の種別情報を記憶している記憶部ＭＭを含む集積又は大規模集積又は超大規模集積回路部ＩＣを有する。タグＴＧの上面ＪＭには、発信部ＧＥからの押釦位置情報を無線ＭＳ１により受信する位置情報受信部ＲＣを設ける。タグＴＧの側面ＲＳには、記憶部ＭＭからの押釦の種別情報を、無線ＭＳ２により側面方向に向けて送信する種別情報送信部ＴＲを設ける。無線ＭＳ１には、電界又は磁界を用いる。無線ＭＳ２には、電界、磁界の他に、可視光、赤外光その他の電磁波を用いることができる。基板ＫＢに設けた電力送信部ＰＴは、タグＴＧに設けた電力受信部ＰＲに有線ＹＰにより電力を常時送信する。
【００２７】
押釦種別情報を入力するため、押釦ＫＴを指ＦＧにより押下すると押釦は下降し、無線ＭＳ１をタグＴＧの上面ＪＭの受信部ＲＣが受信し、図１Ｂに示す如く、深さＳ１まで押すと押釦ＫＴの位置の検出信号がＥ０からＥ１に上昇する。このＥ１を押釦の到来検出の閾（しきい）値として押釦検出信号Ｋ１を生成する。この押釦到来の検出に応答して、記憶部ＭＭから押釦の種別情報を取り出し、タグＴＧの側面ＲＳから無線ＭＳ２により送信する。このように、無線ＭＳ１による押釦ＫＴの位置情報をタグＴＧの上面ＪＭで受信し、押釦ＫＴの種別情報を無線ＭＳ２により側面ＲＳ方向に送信するように構成したので、押釦の位置情報の発信、受信方向と押釦の種別情報の送信方向が直交し、指向性が向上する。従って外部からの雑音電磁波に強くなり、押釦信号の特性が向上する。又、有線ＹＳを用いて押釦の種別情報を送信することもできる。
【００２８】
押釦ＫＴを押し続けた場合、押釦ＫＴはさらに下降し、（３）の停止状態で停止し、位置検出信号がＥ２に達する。しかし、押釦検出信号Ｋ１はすでに生成されているので停止位置まで押す必要はなく、停止する前に指ＦＧを押釦ＫＴから離しても良い。この場合、停止位置からの反力を指ＦＧが受けないので操作者の疲労が軽減する。又、押釦ＫＴが停止する前の押下中に、押釦の到来を検出し、後述の表示部で押釦の種別情報に関連した文字パターン等を表示、確認できるので、押釦を見ないで表示部だけを見て操作ができ、高速に入力できる。又、小指用の押釦は、深さＳをＳ１よりも浅くし、親指用の押釦は、Ｓ１よりも深く閾値を設定することもできる。又、深さＳ２の停止位置で発生する信号Ｋ２を押釦検出信号としても良い。しかし、非接触式で、接点を有しないので、接点の劣化は発生しない。又、押釦ＫＴ側を固定し、基板ＫＢ側を可動として、指ＦＧは基板ＫＢを押下するようにしても良い。
【００２９】
図２Ａ、Ｂは、本発明に用い得るタグＴＧの内部ブロック図であり、集積回路部ＩＣは、閾値検出部ＴＨ、記憶部ＭＭと制御部ＣＣを含む。閾値検出部ＴＨは、深さＳの所定閾値が設定、検出される。この閾値の設定は親指用の押釦と小指用の押釦とで変えることができる。制御部ＣＣは、受信部ＲＣ、送信部ＴＲ、記憶部ＭＭの動作を制御する。記憶部ＭＭは、押釦に対応した種別情報例えば文字コードや命令コード等のキーコード情報を記憶している部分ＫＣと、それ以外の種々の情報を記憶する部分ＯＭを有する。ＯＭの記憶容量を増大すれば、情報処理部の記憶部の一部として使用することができ、処理部の負担が軽減する。又、図２ＢのタグＴＧ２のように、演算部ＣＰを有させれば、押釦の位置情報の演算、判別が可能で、受信信号の処理が正確になり、誤った押釦信号の発生が低減し、押釦信号の特性が向上する。又、情報処理部側の演算部との同時演算や並列演算が可能になり、情報処理部の演算部を小型にでき、処理部の負担が軽減する。さらにタグＴＧ２の左側面ＬＳ２にも無線ＭＳ１２や有線ＹＳ１２により他の押釦の種別情報を受信する受信部ＬＲ２を設け、送信部ＴＲ２を用いて情報処理部側へ送信させるようにすれば（図５参照）、押釦の種別情報の専用の情報送信路が不要になり、構成が簡易になる。
【００３０】
図３Ａ、Ｂは、図１に用い得るタグＴＧの例１の模式図にして、直方体や立方体等の立体形状とする。集積回路部ＩＣは、タグＴＧの内部又は表面に設ける。タグＴＧの上面ＪＭには、単一又は複数の平板状導体で成る位置情報受信部ＲＣを設ける。押釦ＫＴに設けられた位置情報発信部ＧＥも平板状導体で形成し、無線ＭＳ１として電界を用いる。受信部ＲＣの表面には不図示の絶縁体層を設ける。タグＴＧの側面ＲＳの送信部ＴＲにも、導体を平板状（図３Ａ）や渦巻状（図３Ｂ）に形成し、無線ＭＳ２として電界又は磁界を用いる。押釦ＫＴを押すと、発信部ＧＥと受信部ＲＣ間の静電容量が変化し、所定閾値以上に達すると押釦ＫＴの到来を検出し、この検出に応答して、集積回路部ＩＣ内の記憶部ＭＭに記憶されている押釦の種別情報を、送信部ＴＲから電界又は磁界を用いた無線ＭＳ２により側面方向に送信する。電界や磁界による通信距離は、数ミリから数センチのため外部から到来し、雑音と成る電磁波に影響されにくい。又、上下方向に設定した押釦の位置情報の発信、受信方向と直交する側面方向に押釦の種別情報を送信するので指向性が向上し、押釦信号の特性が向上する。ここで側面とは、上面とほぼ直交（約７０度〜１１０度）する面まで含むものとする。又、発信部ＧＥ、受信部ＲＣの両方を渦巻状導体で形成し、押釦の到来検出に磁界を用いても良い。又、集積回路部ＩＣは、有線ＹＰにより電力を常時受信するため、無線による電力受信に比べて安定して動作させることができ、雑音に強くなり、押釦信号の特性が向上する。又、側面ＲＳの有線ＹＳにより押釦種別情報を送信するようにしても良い。
【００３１】
図４Ａ、Ｂは、図１に用い得るタグＴＧの例２の模式図で、Ａは、発信部ＧＥとしてエレクトレット等の永久誘電体ＥＴを用い、単一又は複数の平板状導体で成る受信部ＲＣを上面ＪＭに設けた例である。Ｂは、発信部ＧＥとしてマグネット等の永久磁性体ＭＧを用い、受信部ＲＣとして渦巻状導体を上面ＪＭに設けた例である。ここで、無線ＭＳ１に電界を用いたときは、無線ＭＳ２に磁界を用い、無線ＭＳ１に磁界を用いたときは、無線ＭＳ２に電界を用いれば、無線の種類が異なるため、互いの干渉が低減し、押釦信号の特性が向上する。又、図１の支持ばねＳＰを導体で形成し、発信部ＧＥとして機能させても良い。又、マグネットＭＧの代わりに渦巻状導体を用いても良い。いずれも押釦ＫＴの押下により運動エネルギーを電気エネルギーに変換して、蓄電部ＣＤ内のコンデンサＣに蓄え、集積回路部ＩＣを付勢することができ、これにより専用の電力送信部が不要又は簡易になる。
【００３２】
図５は、実施形態１の応用例１の模式図で、押釦は、ＫＴ０、ＫＴ１、ＫＴ２等複数有し、各押釦の下方に対応して配置された発信部ＧＥ０、ＧＥ１、ＧＥ２と共に弾性支持板ＦＳに支持される。タグはＴＧ０、ＴＧ１、ＴＧ２等のように各押釦に対応して基板ＫＢ上に配置される。各タグの右側面ＲＳ０、ＲＳ１、ＲＳ２には送信部ＴＲ０、ＴＲ１、ＴＲ２を、左側面ＬＳ０、ＬＳ１、ＬＳ２には受信部ＬＲ０、ＬＲ１、ＬＲ２を設け、各タグ間に通信路が形成される（図２Ｂ参照）。各タグの記憶部には、少なくとも各押釦に対応した種別情報が記憶される。押釦ＫＴ１を押下すると、図５ＢのようにタグＴＧ１の上面ＪＭ１に設けた受信部ＲＣ１が無線ＭＳ１１による押釦ＫＴ１の位置情報を受信し、タグＴＧ１に記憶されている押釦ＫＴ１の種別情報を、右側面ＲＳ１の送信部ＴＲ１から無線ＭＳ１２により側面方向に送信する。
【００３３】
この種別情報を隣接したタグＴＧ２の左側面ＬＳ２の受信部ＬＲ２が受信し、次いでタグＴＧ２の右側面ＲＳ２の送信部ＴＲ２から無線ＭＳ２３により情報処理部ＰＣ側へ送信する。押釦ＫＴ１の種別情報は、処理部ＰＣで押釦ＫＴ１に対応した文字、記号等のパターンで成る図形情報に変換され、処理部ＰＣに接続された表示部ＬＣで押釦に対応した図形情報として表示される。この図形情報はタグＴＧ１の記憶部（図２のＯＭ）に記憶させても良い。押釦ＫＴ０が押下されたときは、タグＴＧ０の記憶部からの押釦ＫＴ０の種別情報をタグＴＧ１の左側面の受信部ＬＲ１が受信し、送信部ＴＲ１からタグＴＧ２の受信部ＬＲ２、送信部ＴＲ２を介して処理部ＰＣ側へ送信し、表示部ＬＣで押釦ＫＴ０に対応する文字等の図形情報を表示する。
【００３４】
ここで、タグＴＧ１の右側面ＲＳ１の送信部ＴＲ１に発光素子、タグＴＧ２の左側面ＬＳ２の受信部ＬＲ２に受光素子を設け、無線ＭＳ１２は可視光や赤外光で成る電磁波を用いても良く、又有線ＹＳ１２，２３を用いても良い。このように押釦ＫＴ１の種別情報を受信する受信部ＬＲ２をタグＴＧ２に設け、押釦ＫＴ２の種別情報を送信する送信部ＴＲ２を用いて、押釦ＫＴ１の種別情報を処理部ＰＣ側へ送信するように構成したので、処理部ＰＣに送信する各押釦の専用の送信路が不要になり、構成が簡易になる。又、各タグに図２のＯＭとして示すような押釦種別情報以外の記憶部を設け、さらに各タグと処理部ＰＣを双方向通信できるようにすれば、処理部ＰＣの記憶部の一部として機能させることができる。又、図２のＣＰとして示すような各タグの演算部を処理部ＰＣの演算部の一部として機能させても良い。これにより、処理部ＰＣの負担が軽減する。
【００３５】
図６は、図５に用い得るタグの模式図で、Ａは斜視図、Ｂ、Ｃは断面図、Ｄはブロック図で、タグＴＧ１を構成する可撓性基材ＫＺ１の上面ＪＭ１に集積回路部ＩＣ１、受信部ＲＣ１を設け、右側面ＲＳ１に送信部ＴＲ１を、左側面ＬＳ１に受信部ＬＲ１を設ける。Ｂに示すように、平板状の可撓性基材ＫＺ１の上面ＪＭ１に印刷技術により受信部ＬＲ１、ＲＣ１、送信部ＴＲ１を設け、さらに集積回路部ＩＣ１を載置する。その後、Ｃに示すように、基材ＫＺ１の左右の端部を角部ＣＲ、ＣＬで直角に折り曲げて、上面と直交するように側面ＬＳ１、ＲＳ１を形成する。これにより、印刷工程が簡易になる。
【００３６】
図７は、図５の変形例の模式図で、図６例のように折り曲げる必要がない。即ちタグＴＧ１、２、３の上面ＪＭ１、２、３の左側に、図７Ｂのように渦巻状の導体で成る受信部ＬＲ１、２、３を、右側に同様に渦巻状の送信部ＴＲ１、２、３を印刷技術により形成し、無線ＭＳ１２、ＭＳ２３等として磁界を用いる。押釦ＫＴ１を押下すると、集積回路ＩＣ１内の記憶部からの押釦種別情報が送信部ＴＲ１、受信部ＬＲ２、送信部ＴＲ２、受信部ＬＲ３、送信部ＴＲ３と順に磁界によりタグの側面方向に伝達され、処理部ＰＣ側へ送信される。これによれば、印刷された導体を折り曲げないので断線の危険性が低減する。又、薄型に構成できる。又、送信部ＴＲ１等に受信機能、受信部ＬＲ１等に送信機能を有させれば双方向の順次通信もできる。又、図８に示すようにタグＴＧ１の右端とタグＴＧ２の左端を重ねて送信部ＴＲ１の下方に受信部ＬＲ２が対応するように配置し、上下方向に送受信するように構成しても良い。又、位置情報の発信、受信に電界を用いれば、磁界ＭＳ１２等との干渉が少ないので押釦信号の特性が向上する。
【００３７】
実施形態２
図９は、本発明の実施形態２の模式図を示し、押釦ＫＴ１の下方の対応した位置にタグＴＧ１１を設ける。このタグＴＧ１１は、記憶部ＭＭ１１を含む集積回路部ＩＣ１１を有し、押釦ＫＴ１と共に上下動する。下面には前例同様の位置情報発信部ＧＥ１１及び記憶部ＭＭ１１からの情報を無線ＭＳ１２１により送信する送信部１としてＴＲ１１を設ける。記憶部ＭＭ１１は種々の情報を記憶させることが可能である。押釦ＫＴ１及びタグＴＧ１１の下方の対応した位置にタグＴＧ２１を設け、記憶部ＭＭ２１には前例同様に押釦ＫＴ１の種別情報を記憶させる。タグＴＧ２１の上面ＪＭ２１には、押釦の位置情報を受信する受信部１としてＲＣ２１１を設け、さらに、送信部１のＴＲ１１からの無線ＭＳ１２１を受信する受信部２としてＲＣ２１２を設ける。又、無線電力送信部ＭＴ１を設け、タグＴＧ１１の下面ＫＭ１１に設けた無線電力受信部ＭＲ１に無線ＭＰ１による電力を常時送信する。タグＴＧ２１の電力受信部ＰＲ１には、基板ＫＢの電力送信部ＰＴ１から有線ＹＰ１により電力が常時送信され、記憶部ＭＭ１１の情報が送信部ＴＲ１１から受信部ＲＣ２１２に送信される。タグＴＧ２１の側面ＲＳ２１には前例同様に送信部２としてＴＲ２１を設け、無線ＭＳ１１１、１２１も前例同様に電界又は磁界による無線を用いることができる。無線ＭＰ１は電界、磁界の他に種々の電磁波を用いることができる。
【００３８】
図９（２）のように押釦ＫＴ１が押下され、所定深さＳまで達すると前例のように、押釦ＫＴ１の位置情報を受信部ＲＣ２１１が受信し、所定閾値に達すると押釦の到来が検出され、記憶部ＭＭ２１に記憶されている押釦ＫＴ１の種別情報が送信部ＴＲ２１から送信され、無線ＭＳ１１２により側面ＲＳ２１方向に送信される。又、記憶部ＭＭ１１の情報も必要に応じて送信部ＴＲ２１から送信される。ここで、送信部ＴＲ１１に受信機能、受信部ＲＣ２１２に送信機能を有させて、双方向通信させるようにしても良いし、タグＴＧ１１に受信部、タグＴＧ２１に送信部を専門に設けて双方向通信させるようにしても良い。又、送信部ＴＲ１１に、発信部ＧＥ１１の機能を有させ、受信部ＲＣ２１２に受信部ＲＣ２１１の機能を有させても良い。又、所定深さＳまで達したときに無線ＭＰ１を受信部ＭＲ１１が受信し、集積回路ＩＣが付勢され、記憶部ＭＭ１１からの情報を送信部ＴＲ１１から送信させるようにしても良い。
【００３９】
又、無線ＭＰ１のおよぶ高さを異なるようにすれば、親指用と小指用とで押す深さを異なえることができる。又、無線ＭＰ１の搬送波を変調してタグＴＧ２１からタグＴＧ１１に情報を送信するようにしても良く、さらに、無線電力受信部ＭＲ１に送信部としての機能を有させ、記憶部ＭＭ１１からの情報を送信させるようにしても良い。押釦ＫＴ１の種別情報は、押釦側の記憶部ＭＭ１１に記憶させても良い。この場合、記憶部ＭＭ１１と押釦ＫＴ１は一体的に移動可能になるため、押釦の配置変更が容易になる。この場合、タグＴＧ２１は省略し、基板ＫＢには受信機能と送信機能だけを有させるようにしても良い。
又、記憶部ＭＭ１１からの押釦種別情報を取出すための電力を親指用と小指用とで異なえるようにしても良い。このように、押釦に対応した位置に複数の記憶媒体を設け、いずれかの記憶部に押釦種別情報を記憶させ、その他の記憶部に種々の情報の記憶が可能になるので、情報処理部ＰＣの記憶部の一部として機能させることができる。又、各タグに演算部を設け、情報処理部ＰＣの演算部の一部として機能させても良い。これにより、情報処理部ＰＣの負担が軽減する。ここで、押釦の位置情報又は記憶部からの押釦種別情報を押釦側の情報と呼び、発信部ＧＥ１１及び又は送信部ＴＲ１１を簡略して発送部ＧＴ１１と呼ぶことにする。
【００４０】
図１０は、実施形態２の応用例１の模式図を示す。押釦ＫＴ０、１、２に対応してタグＴＧ１０、１１、１２を設け、各タグの下面に押釦側の情報発送部ＧＴ０、１、２を設け、又、無線電力受信部ＭＲ０、１、２を設ける。又、各タグに対応して基板ＫＢ上にタグＴＧ２０、２１、２２を配置し、各記憶部に押釦の種別情報を記憶させる。各タグの右側面ＲＳ２０、２１、２２には送信部ＴＲ２０、２１、２２を、左側面ＬＳ２０、２１、２２には受信部ＬＲ２０、２１、２２を設ける。図１０Ｂのように押釦ＫＴ１を押下すると、タグＴＧ２１の上面ＪＭ２１の受信部ＲＣ２１１が無線ＭＳ１１１による押釦ＫＴ１の位置情報を受信し、停止位置に達する前に押釦ＫＴ１の種別情報を右側面ＲＳ２１の送信部ＴＲ２１から無線ＭＳ１１２により側面方向に送信する。隣接したタグＴＧ２２の左側面ＬＳ２２の受信部ＬＲ２２がこれを受信し、次いでタグＴＧ２２の右側面ＲＳ２２の送信部ＴＲ２２から無線ＭＳ１２３により不図示の情報処理部ＰＣ側へ押釦ＫＴ１の種別情報を送信する。次いで不図示の表示部ＬＣで押釦ＫＴ１に対応した文字、記号等のパターンで成る図形情報を表示する。このように押釦ＫＴ１の種別情報を受信する受信部ＬＲ２２をタグＴＧ２２に設け、押釦ＫＴ２の種別情報を送信する送信部ＴＲ２２を用いて押釦ＫＴ１の種別情報を処理部ＰＣ側へ送信するように構成したので、処理部ＰＣに送信する各押釦の専用の送信路が不要になり、構成が簡易になる。押釦の種別情報は、押釦側のタグＴＧ１０、１１、１２に記憶させても良い。
【００４１】
図１１は、図１０に用い得るタグの模式図で、Ａは斜視図、Ｂ、Ｃは断面図、Ｄはブロック図を示し、基本構成は図６同様である。タグＴＧ２１等は、Ａに示すように右側面ＲＳ２１に隣接するタグＴＧ２２に情報を送信する送信部ＴＲ２１を設ける。又、隣接するタグＴＧ２２からの情報を受信する受信部ＲＲ２１を設ける。これにより基板ＫＢ上のタグ同士で情報の双方向の同時通信ができるようになる。
【００４２】
図１２は、図９の実施形態２の全体斜視図で、ＴＧ２１等のタグＴＧは、左右側面の他に前後側面及び上下のタグにも送受信部を設け、全て隣接したタグを介して情報を送受信する例を示す。又、タグＴＧの二つ以上の夫々に演算部を設ければ同時演算や並列演算ができる。又、情報処理部ＰＣの演算部とで、同時又は並列演算させても良い。又、情報の送受信には、電界又は磁界の他に、可視光、赤外光等の種々の電磁波で成る無線で行なっても良い。又、電力送信と情報送信を重畳させても良い。又、無線ＭＳＳ又は有線により上方のタグＴＧ１０とＴＧ１１同士で通信させるようにしても良い。さらに、有線ＹＳにより基板上のタグ同士で情報を送受信させるようにしても良い。
【００４３】
図１３は、図１１の変形例の摸式図で、押釦の下方の対応した位置以外にもタグＴＧ２０１、ＴＧ２１２等を設けた例である。例えばタグＴＧ２１からの押釦ＫＴ１の種別情報は無線ＭＳ１１２により隣接するタグＴＧ２１２に、タグＴＧ２１２から無線ＭＳ１２２により押釦ＫＴ２の下方に位置し、隣接するタグＴＧ２２へ送信される。さらにタグＴＧ２２の押釦種別情報送信部から無線ＭＳ１２３により情報処理装置ＰＣ側へと順に送信される。タグＴＧ２０１、２１２も記憶部を有するので情報の記憶容量が増大する。電力送信部ＰＴ０、ＰＴ１等はタグＴＧの一つおきに有線により接続する。タグＴＧ２０１、２１２等は隣接するタグＴＧ２０、２１等から無線により電力が送信され、又、電力送信波を変調して情報を重畳する。これにより電力送信用の配線が低減する。さらに、基板ＫＢの下面ＫＫにも多数のタグＴＧ及び半導体で成る情報処理部ＰＣを設ける。タグＴＧ１０、１１、１２を支持する支持板は透明弾性支持板ＴＦＳとし、下方に電子的に書き換え可能な表示体ＥＬ０、ＥＬ１等を設け、表示体に押釦の種別を表わす文字、記号等のパターンで成る図形情報を表示させて押釦を構成する。タグＴＧ１０、１１、１２等にはこの図形情報も記憶させるようにする。これにより単一の押釦で複数の図形情報の表示が可能になるので、文字等を一義的に刻印したキーに比べて汎用性の高いキーボードを構成することができる。又、タグＴＧ１０、表示体ＥＬ０等は不図示の有線により電力が送信される。前例同様に各タグの押釦種別情報以外の記憶部や演算部は、情報処理部の一部として機能する。これによりいわゆるハードディスクが不要又は小型にでき、情報処理速度が速くなり、押釦装置又は情報処理部の機能が向上する。又、押釦はいわゆるタッチパネル式としても良い。
【００４４】
図１４は、各実施形態の応用例の全体斜視図である。前述のような押釦装置に起倒自在に表示部ＬＣを取り付け、いわゆるノート型パソコンを構成する。図１５は、押釦情報の入力流れ図である。ステップＳ１で、図１５の押釦の種別情報を入力するため第１の押釦ＫＴ１を押下すると下降を開始（ステップＳ２）し、停止位置に到達する前の押下中（ステップＳ３）に電界又は磁界を用いた無線により押釦ＫＴ１の位置検出信号等の押釦側情報を検出する（ステップＳ４）。ステップＳ５で、押釦ＫＴ１の検出信号が所定閾値に達するか否かが判別され、所定閾値に達し、押釦ＫＴ１が到来したことを検出し、ステップＳ６で、押釦ＫＴ１に対応して配置された第１タグ内の記憶部から押釦ＫＴ１の種別情報を取出し、ステップＳ７で、押釦ＫＴ１の種別情報を情報処理部ＰＣ側へ送信する。これを隣接する第２のタグが受信（ステップＳ８）し、ステップＳ９で、第２のタグから情報処理部ＰＣ側へ押釦ＫＴ１の種別情報を送信する。ステップＳ１０で、押釦ＫＴ１の種別情報に対応した情報即ち押釦ＫＴ１の表面に刻印されている例えば英大文字Ｖの図形情報を図１５のような表示部ＬＣに表示する。
【００４５】
押釦ＫＴ１が停止位置に到達する前に、隣接する第２の押釦ＫＴ２を押下する（ステップＳ１１）。例えば英大文字Ｂが刻印されている押釦ＫＴ２の押下も押釦ＫＴ１と同様の過程（ステップＳ１２〜Ｓ２０）を経て、押釦ＫＴ２の種別情報に対応した情報即ち文字Ｂの図形情報を図１５のように表示部ＬＣに表示する。このように押釦が停止位置に到達する前の押下中に、押釦の図形情報を視認、確認できるので押釦を見なくても連続高速キー入力が可能になる。さらに、押釦を停止位置に到達させる必要がないので、停止位置からの反力を指が受けることなく、操作者の疲労が軽減する。又、押釦に対応して記憶媒体を配置したため、押釦毎に閾値を設定でき、親指用の押釦と小指用の押釦とで押す深さを変えることも容易にできる。
【００４６】
尚、本発明には、以上の各実施形態の変形、組合せ、応用等も含まれることは明らかである。
【符号の説明】
【００４７】
ＫＴ    押釦
ＧＥ    押釦位置情報発信部
ＴＧ    記憶媒体
ＭＭ  記憶部
ＪＭ  上面
ＲＳ  側面
ＲＣ  押釦位置情報受信部
ＴＲ  押釦種別情報送信部
ＭＳ  無線
ＹＳ  有線
ＰＣ  情報処理部
ＬＣ  表示部
【図１】
2011146336.tif 000003
【図２】
2011146336.tif 000004
【図３】
2011146336.tif 000005
【図４】
2011146336.tif 000006
【図５】
2011146336.tif 000007
【図６】
2011146336.tif 000008
【図７】
2011146336.tif 000009
【図８】
2011146336.tif 000010
【図９】
2011146336.tif 000011
【図１０】
2011146336.tif 000012
【図１１】
2011146336.tif 000013
【図１２】
2011146336.tif 000014
【図１３】
2011146336.tif 000015
【図１４】
2011146336.tif 000016
【図１５】
2011146336.tif 000017